(57)【特許請求の範囲】
【請求項１】
水平方向に延びている上部アーム（２１）と、この上部アーム（２１）から垂直方向に離れて位置して水平方向に延びている下部アーム（２２）とを、旋回軸線の周りを相対的に旋回可能に接続するピボット接続用垂直方向接続構造（２０）を有する天井取付式医療供給ユニットであって、
前記上部アーム（２１）と前記下部アーム（２２）との間に配置され、両者を旋回軸線の周りで相対的に旋回可能な関係で接続するハブ（２３）と、
前記旋回軸線を取り囲む領域にある前記上部アーム（２１）の下面に固定され、上部アームの下面から隙間を隔てて前記旋回軸線を中心とする円に沿って径方向外方に突出する上部突出係合部（１３，１４）を有する上部係合部材（９）と、
前記旋回軸線を取り囲む領域にある前記下部アーム（２２）の上面に固定され、下部アームの上面から隙間を隔てて前記旋回軸線を中心とする円に沿って径方向外方に突出する下部突出係合部（１３，１４）を有する下部係合部材（２９）と、
２個のシェル部品（１）からなり、前記旋回軸線を取り囲むリング状形態を形作るシェルとを備え、
前記各シェル部品（１）は、前記上部アーム（２１）の下面と前記上部突出係合部（１３，１４）との間に入り込むように径方向内方に突出するシェル上部係合部（７）と、前記下部アーム（２２）の上面と前記下部突出係合部（１３，１４）との間に入り込むように径方向内方に突出するシェル下部係合部（８）とを含む、天井取付式医療供給ユニット。
【請求項２】
前記上部係合部材（９）は、少なくとも第１ワッシャ部品（１１）と第２ワッシャ部品（１２）とからなり、前記各ワッシャ部品が前記上部突出係合部（１３，１４）を含み、
前記下部係合部材（２９）は、少なくとも第１ワッシャ部品（１１）と第２ワッシャ部品（１２）とからなり、前記各ワッシャ部品が前記下部突出係合部（１３，１４）を含む、請求項１に記載の天井取付式医療供給ユニット。
【請求項３】
前記２個のシェル部品は、組立て状態において互いに接続されている、請求項１または２に記載の天井取付式医療供給ユニット。
【請求項４】
前記各シェル部品（１）の係合部（７，８）は、上部または下部エッジ（５，６）からほぼ直角に曲がっている突出部によって形成されている、請求項１〜３のいずれかに記載の天井取付式医療供給ユニット。
【請求項５】
前記ワッシャ部品（１１，１２）の係合部（１３，１４）は、前記ワッシャ部品の外周部から突出している突出部によって形成されている、請求項２に記載の天井取付式医療供給ユニット。
【請求項６】
前記外周部から突出している突出部は、段差状になっている、請求項５に記載の天井取付式医療供給ユニット。
【請求項７】
前記シェル部品（１）の係合部（７，８）は、上部エッジ（５）または下部エッジ（６）の全長に亘って形成されている、請求項１〜６のいずれかに記載の天井取付式医療供給ユニット。
【請求項８】
前記ワッシャ部品（１１，１２）の係合部（１３，１４）は、ワッシャ部品の外周全長に亘って形成されている、請求項５または６に記載の天井取付式医療供給ユニット。
【発明の詳細な説明】
【技術分野】
【０００１】
この発明は、２個の要素をバーティカル接続（縦方向接続または垂直接続）するためのロック装置に関し、特に天井取付式医療補給ユニットのピボット接続または天井取付式医療スタンドのピボット接続のためのロック装置に関するものである。
【背景技術】
【０００２】
天井取付式医療スタンドは、医療モニター、人口呼吸装置、シリンジポンプ等のような医療機器の頭上取付用に用意される。それらは、例えば、看者の手術、集中治療または検査のためのシステムと適合するように、手術室または集中治療室で使用される。
【０００３】
電流、圧縮空気、酸素および他の医療ガス等のための全ての供給ラインは、機器に直接接続され得るように、天井から天井取付スタンドの中にまで導かれる。床上にケーブルを配置するようなことは避けられる。したがって、床上に這っているケーブルによってつまずくという危険は解消される。
【０００４】
天井取付式スタンドは、柱と、少なくとも一つの水平スウィングアームとを備える。それらは、旋回し得るようにピボット接続を介して天井に取付られる。天井取付式スタンドは、さらに、必要な接続や装置に適合するように設けられたいわゆるスタンドヘッドと呼ばれる機器キャリアを備える。
【０００５】
ピボットアームは、天井取付式スタンドが所望の半径で旋回できるようにするものであり、これにより、看者へのアクセスや、最適な作業位置の調節を容易にする。天井から取出された全てのケーブルおよび供給ラインは、天井取付式スタンドの中に導入され、そこからピボット接続およびアームを介してスタンドヘッドに導かれる。天井取付式スタンドは、互いに対して旋回し得るように連結された２個のアームを備えていてもよい。
【０００６】
ピボット接続は、スタンドヘッドや組み込まれた機器を含む天井取付式スタンドの全重量を支えることができるものでなければならない。いかなるおよびあらゆる環境下においても、ピボット接続の分裂または分離を避けなければならない。というのは、万一、天井取付式スタンドが落下したならば、深刻な人の損傷や材料・機器の損壊を招くからである。
【発明の開示】
【発明が解決しようとする課題】
【０００７】
それゆえに、この発明の目的は、天井取付式スタンドが落下するのを防止するロック装置を提供することである。さらに、ロック装置は、特別な努力をすることなく既存のシステムに組み込むことができるものでなければならない。
【課題を解決するための手段】
【０００８】
上記の課題は、請求項１に係る天井取付式医療供給ユニットによって解決される。更なる有利な展開は、従属請求項に係る発明によって達成される。請求項１に係る天井取付式医療供給ユニットは、水平方向に延びている上部アームと、この上部アームから垂直方向に離れて位置して水平方向に延びている下部アームとを、旋回軸線の周りを相対的に旋回可能に接続するピボット接続用垂直方向接続構造を有する。この天井取付式医療供給ユニットは、上部アームと下部アームとの間に配置され、両者を旋回軸線の周りで相対的に旋回可能な関係で接続するハブと、旋回軸線を取り囲む領域にある上部アームの下面に固定され、上部アームの下面から隙間を隔てて旋回軸線を中心とする円に沿って径方向外方に突出する上部突出係合部を有する上部係合部材と、旋回軸線を取り囲む領域にある下部アームの上面に固定され、下部アームの上面から隙間を隔てて旋回軸線を中心とする円に沿って径方向外方に突出する下部突出係合部を有する下部係合部材と、２個のシェル部品からなり、旋回軸線を取り囲むリング状形態を形作るシェルとを備える。各シェル部品は、上部アームの下面と上部突出係合部との間に入り込むように径方向内方に突出するシェル上部係合部と、下部アームの上面と下部突出係合部との間に入り込むように径方向内方に突出するシェル下部係合部とを含む。
【０００９】
シェルを個々のシェル部品に形成し、ワッシャを個々のワッシャ部品に形成することにより、ケーブルおよび供給ラインを分離することなく、ロック装置を組み込むことができる。組み込む必要が生じた場合に、第１の工程は、単純に、ワッシャ部品をピボット接続の上下に横から挿入し、それをピボット接続の取付ねじによって固定することである。
【００１０】
有利な点として、シェル部品の係合部は、リング状部分を備え、このリング状部分は、上部または下部エッジからほぼ直角に曲がっている。それにより、各シェル部品は、クランプの態様でピボット接続の上に横から嵌る。上部および下部リング状部分は単純に対応するワッシャの上および下に係合し、ピボット接続を分離しないように固定する。
【００１１】
ワッシャ部品の係合部は、ワッシャ部品の外周面から段差をもって突出する突出部として形成されており、これによりシェル部品の簡単な取り付けを確実にする。さらに、そのようなワッシャ部品の製造は、簡単で低コストである。
【００１２】
全体の円周に亘って延びているシェル部品の係合部およびワッシャ部品の係合部によって、ピボット接続を引裂こうとする際に生じる力の吸収を、最大限の面積に亘って行なうことができる。したがって、係合部の肉厚を小さく保つことができる。こうして、ロック装置を目立たないように設計することができる。
【００１３】
図面を参照しながらこの発明の好ましい実施形態を例示的に示して、この発明を説明する。
【発明を実施するための最良の形態】
【００１４】
図１は、水平方向に延びている上部アーム２１と、水平方向に延びている下部アーム２２とを示しており、これらの両アームは、旋回し得るようにバーティカル（縦方向または垂直方向）ピボット接続２０を介して互いに接続されている。
【００１５】
ピボット接続２０は、ここでは詳細に説明しない２個の円筒形部品によって囲まれたハブ２３を備える。ハブ２３は、中空シリンダとして形成される。供給ケーブルおよびチューブ（図示省略）は、中空シリンダの中に配置される。ピボット接続自体については、ここでは詳細に説明しない。
【００１６】
図示した実施形態において、ピボット接続２０用のロック装置は、ピボット接続を包囲する２個のシェル部品１、および同様にピボット接続の周りに配置される上部および下部ワッシャ９，２９によって形成される。
【００１７】
図２は一方のシェル部品１を示している。他方のシェル部品は同一の形態であるので、その説明を省略する。図示するように、シェル部品１は、半円形状を有しており、シェル部品表面１９と、円周方向における第１の自由端部３と、第１の自由端部に対して直径方向に対向する第２の自由端部４とを備える。
【００１８】
図１において、シェル部品は、上部アーム２１に対面する上部エッジ５と、下部アーム２２に対面する反対側の下部エッジ６とを備える。上部突出部は、上部エッジ５のところから直角に延びている。この突出部は、全体の上部エッジ５に沿って半径方向を内方に向かって延び、連続的な係合部７を形成する。同様に、下部エッジ６のところには、直角に半径方向を内方に延びて係合部８を形成する突出部が設けられている。この半径方向突出部は、わずか数ミリメートルだけ内方に延びている。しかしながら、この突出部は、以下に記載するワッシャ部品に係合することによって、ピボット接続２０が分離した場合でも天井取付式スタンドおよび機器の重量を確実に保持することができるような寸法とされている。部品端部３の領域において、ねじを嵌め入れることができる２個の穴２４がシェル部品表面１９に設けられている。他方の部品端部４においても、２個の穴２４が設けられている。
【００１９】
図３に示すように、２個のシェル部品１は結合してリングを形成する。２個のシェル部品１は、いずれかの自由端部３，４のところで、接続要素１０を介して互いに接続される。接続要素１０は、穴２４に対応する２個の穴を持つプレートからなる。図示した実施形態では、接続要素１０の穴に内ねじが設けられており、ねじ（スクリュー）が接続要素に螺合できるようになっている。しかしながら、内ねじの形成されていない穴を設けることも可能である。その場合には、ねじ（スクリュー）はナットを介して固定される。
【００２０】
図１に示すように、上部アーム２１に面するワッシャ９、および下部アーム２２に面するワッシャ２９が設けられる。２つのワッシャは同一であるので、以下には、図４を参照して上部ワッシャ９についてのみ説明する。
【００２１】
２個のワッシャ部品１１，１２は結合して、ほぼ閉鎖したワッシャ９を形成する。上述したように、２個のワッシャ部品は、それぞれ、半円形状を有している。それらは平らなディスクの形態で設計されており、円周方向における第１の自由ワッシャ端１５と、第１の自由ワッシャ端１５とは直径方向に対向する第２のワッシャ端１６と、円形表面１７と、内周面と、外周面とを備える。ワッシャ部品をピボット接続に取り付けるために、スクリューボルト（図示省略）が嵌められるいくつかの穴１８が円形表面１７に設けられる。図示した実施形態の場合、各ワッシャ部品に２個の穴が設けられている。
【００２２】
図４および図１に示すように、各ワッシャ部品１１，１２は、半径方向を外方に向かって突出し、係合部１３、１４として使用される突出部を有している。各突出部の肉厚は、ワッシャ部品の肉厚のほぼ半分である。しかしながら、この突出部は、シェル部品１の係合部７，８に係合することにより、仮にピボット接続２０が分離したとしても天井取付式スタンドおよび機器の重量を確実に保持することができるような寸法とされる。半径方向における突出部の大きさは、その半径方向寸法がシェル部品１の係合部７，８の半径方向寸法とほぼ等しくなるように決められる。
【００２３】
図１の組立て状態において、各シェル部品１の係合部７，８は、上部エッジ５および下部エッジ６のところで、各ワッシャ部品１１，１２の係合部１３，１４の半径方向突出部の背後に突出する。
【００２４】
ピボット接続２０が分離または引裂かれようとする場合でも、天井取付式スタンドまたはその部品が落下するのは防止される。なぜなら、その場合、２個のシェル部品１の係合部７，８がワッシャ部品９，２９の係合部１３，１４に係合するようになり、こうしてピボット接続をしっかりと保持する。より正確には、上部係合部７が上部ワッシャ９の突出部によって保持され、下部係合部８が下部ワッシャ２９の突出部を保持する。
【００２５】
ロック装置の取替えを以下に説明する。第１に、ピボット接続２０を固定しているスクリューボルトを取り外して引き抜く。次に、上部および下部ワッシャ９，２９のワッシャ部品１１，１２をピボット接続２０の上および下に横から差し込む。その後、特別なワッシャ部品の厚みだけ長い新たなスクリューボルトをワッシャ部品の円形表面１７上の穴１８の中に嵌めこみ、引き続いて締め込む。こうして、ワッシャ部品１１，１２をピボット接続２０に固定する。
【００２６】
今、シェル部品１が横からピボット接続２０上に嵌め入れられ、接続要素１０およびスクリューを介して互いに接続される。その結果、シェル部品１は、ピボット接続を包囲する。ここに、シェル部品１の係合部７，８はワッシャ部品１１，１２の係合部１３，１４に係合し、こうしてクランプの態様でピボット接続を固定する。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２８】
この発明は、２個の部品を垂直方向に接続するためのロック装置に有利に利用され得る。
【図面の簡単な説明】
【００２９】
【図１】ピボット接続および２個のアームを示す部分断面側面図である。
【図２】シェル部品の斜視図である。
【図３】リングの形態となるように結合された２個のシェル部品を示す平面図である。
【図４】リングの形態となるように結合された２個のワッシャ部品を示す平面図である。
【符号の説明】
【００３０】
１  シェル部品、３  第１自由端部、４  第２自由端部、５  上部エッジ、６  下部エッジ、７  係合部、８  係合部、９  上部ワッシャ、１０  接続要素、１１  ワッシャ部品、１２  ワッシャ部品、１３  係合部、１４  係合部、１５  第１ワッシャ端、１６  第２ワッシャ端、１７  円形表面、１８  穴、１９  シェル部品表面、２０  ピボット接続、２１  上部アーム、２２  下部アーム、２３  ハブ。
【図１】
0004452540.tif 000002
【図２】
0004452540.tif 000003
【図３】
0004452540.tif 000004
【図４】
0004452540.tif 000005